【手続補正書】
【提出日】平成16年6月14日(2004.6.14)
【手続補正１】
【補正対象書類名】明細書
【補正対象項目名】発明の名称
【補正方法】変更
【補正の内容】
【発明の名称】画像処理方法、画像処理装置、画像配付システム及び記憶媒体
【手続補正２】
【補正対象書類名】明細書
【補正対象項目名】特許請求の範囲
【補正方法】変更
【補正の内容】
【特許請求の範囲】
【請求項１】
原画像、透かし画像形状情報及び埋め込み系列を入力する入力工程と、
前記透かし画像形状情報により示される形状内に含まれる前記原画像の画素の画素値と、前記埋み込み系列との演算を行うことにより、電子透かしが埋め込まれた画像を作成する作成工程とを有することを特徴とする画像処理方法。
【請求項２】
電子透かしが埋め込まれた画像、透かし画像形状情報及び埋め込み系列を入力する工程と、
前記透かし画像形状情報により示される形状内に含まれる前記電子透かしが埋め込まれた画像の画素の画素値と、前記埋め込み系列との演算を行うことにより前記電子透かしを解除する解除工程とを有することを特徴とする画像処理方法。
【請求項３】
前記演算に、共通鍵暗号方式、又は、公開鍵暗号方式による暗号化処理を用いることを特徴とする請求項１又は２に記載の画像処理方法。
【請求項４】
前記原画像が、不可視型電子透かしが埋め込まれている画像であることを特徴とする請求項１〜３の何れか１項に記載の画像処理方法。
【請求項５】
前記電子透かしが埋め込まれた画像、前記透かし画像形状情報及び前記埋め込み系列を出力することを特徴とする請求項１〜４の何れか１項に記載の画像処理方法。
【請求項６】
原画像、透かし画像形状情報、及び埋め込み系列を入力する入力手段と、
前記透かし画像形状情報により示される形状内に含まれる前記原画像の画素の画素値と、前記埋み込み系列との演算を行うことにより、電子透かしが埋め込まれた画像を作成する作成手段とを有することを特徴とする画像処理装置。
【請求項７】
電子透かしが埋め込まれた画像、透かし画像形状情報及び埋め込み系列を入力する入力手段と、
前記透かし画像形状情報により示される形状内に含まれる前記電子透かしが埋め込まれた画像の画素の画素値と、前記埋め込み系列との演算を行うことにより、前記電子透かしを解除する解除手段とを有することを特徴とする画像処理装置。
【請求項８】
前記演算に、共通鍵暗号方式、又は、公開鍵暗号方式による暗号化処理を用いることを特徴とする請求項６又は７に記載の画像処理装置。
【請求項９】
サーバ及び端末を有する画像配付システムであって、
前記サーバは、
原画像、透かし画像形状情報及び埋め込み系列を入力する入力手段と、
前記透かし画像形状情報により示される形状内に含まれる前記原画像の画素の画素値と、前記埋み込み系列との演算を行うことにより、電子透かしが埋め込まれた画像を作成する作成手段と、
前記電子透かしが埋め込まれた画像、前記透かし画像形状情報及び前記埋め込み系列を端末に送信する送信手段とを有し、
前記端末は、
前記電子透かしが埋め込まれた画像、前記透かし画像形状情報及び前記埋め込み系列を前記サーバより受信する受信手段と、
前記透かし画像形状情報により示される形状内に含まれる前記電子透かしが埋め込まれた画像の画素の画素値と前記埋め込み系列との演算を行うことにより、前記電子透かしを解除する解除手段とを有することを特徴とする画像配付システム。
【請求項１０】
請求項１〜５の何れか１項に記載の画像処理方法をコンピュータに実行させるためのプログラムを記録したコンピュータ読み取り可能な記憶媒体。
【手続補正３】
【補正対象書類名】明細書
【補正対象項目名】０００１
【補正方法】変更
【補正の内容】
【０００１】
【発明の属する技術分野】
本発明は、画像の著作権保護、画像の改竄防止等のために、画像に電子透かし等の目視しにくい情報を埋め込むための技術、電子透かしが埋め込まれた画像の電子透かしを解除するための技術、サーバにおいて電子透かしが埋め込まれた画像を作成して、ユーザに配付し、ユーザにおいて電子透かしを解除する技術に関するものである。
【手続補正４】
【補正対象書類名】明細書
【補正対象項目名】００１４
【補正方法】変更
【補正の内容】
【００１４】
【課題を解決するための手段】
本発明の画像処理方法は、原画像、透かし画像形状情報及び埋め込み系列を入力する入力工程と、前記透かし画像形状情報により示される形状内に含まれる前記原画像の画素の画素値と、前記埋み込み系列との演算を行うことにより、電子透かしが埋め込まれた画像を作成する作成工程とを有することを特徴とする。
【手続補正５】
【補正対象書類名】明細書
【補正対象項目名】００１５
【補正方法】変更
【補正の内容】
【００１５】
また、本発明の画像処理方法は、電子透かしが埋め込まれた画像、透かし画像形状情報及び埋め込み系列を入力する工程と、前記透かし画像形状情報により示される形状内に含まれる前記電子透かしが埋め込まれた画像の画素の画素値と、前記埋め込み系列との演算を行うことにより前記電子透かしを解除する解除工程とを有することを特徴とする。
【手続補正６】
【補正対象書類名】明細書
【補正対象項目名】００１６
【補正方法】変更
【補正の内容】
【００１６】
また、本発明の画像処理装置は、原画像、透かし画像形状情報、及び埋め込み系列を入力する入力手段と、前記透かし画像形状情報により示される形状内に含まれる前記原画像の画素の画素値と、前記埋み込み系列との演算を行うことにより、電子透かしが埋め込まれた画像を作成する作成手段とを有することを特徴とする。
【手続補正７】
【補正対象書類名】明細書
【補正対象項目名】００１７
【補正方法】変更
【補正の内容】
【００１７】
また、本発明の画像処理装置は、電子透かしが埋め込まれた画像、透かし画像形状情報及び埋め込み系列を入力する入力手段と、前記透かし画像形状情報により示される形状内に含まれる前記電子透かしが埋め込まれた画像の画素の画素値と、前記埋め込み系列との演算を行うことにより、前記電子透かしを解除する解除手段とを有することを特徴とする。
【手続補正８】
【補正対象書類名】明細書
【補正対象項目名】００１８
【補正方法】変更
【補正の内容】
【００１８】
また、本発明の画像配付システムは、サーバ及び端末を有する画像配付システムであって、前記サーバは、原画像、透かし画像形状情報及び埋め込み系列を入力する入力手段と、前記透かし画像形状情報により示される形状内に含まれる前記原画像の画素の画素値と、前記埋み込み系列との演算を行うことにより、電子透かしが埋め込まれた画像を作成する作成手段と、前記電子透かしが埋め込まれた画像、前記透かし画像形状情報及び前記埋め込み系列を端末に送信する送信手段とを有し、前記端末は、前記電子透かしが埋め込まれた画像、前記透かし画像形状情報及び前記埋め込み系列を前記サーバより受信する受信手段と、前記透かし画像形状情報により示される形状内に含まれる前記電子透かしが埋め込まれた画像の画素の画素値と前記埋め込み系列との演算を行うことにより、前記電子透かしを解除する解除手段とを有することを特徴とする。
【手続補正９】
【補正対象書類名】明細書
【補正対象項目名】００１９
【補正方法】変更
【補正の内容】
【００１９】
また、本発明の記憶媒体は、上記の画像処理方法をコンピュータに実行させるためのプログラムを記録したコンピュータ読み取り可能な記憶媒体である。
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】